(57)【要約】【課題】水道元圧のウォーターハンマー現象などで異常な高水圧が加わった時に、水抜栓１７が外れ水漏れることを防止すること。【解決手段】人体の局部を洗浄する洗浄手段１３と、水道配管１４から分岐された給水管１５および本体内水路部１６と水密に接合し、本体内水路部１６や前記給水管１５の水を抜くための水抜栓１７を水密に挿入するための開口部１８からなるＴ字水路１９を有した給水部２０とを備え、開口部１８の外周部にリブ２２を突設し、水抜栓ロック２１の折曲部２１ａには、水抜栓１７の頭部１７ａと給水部の凸部２２を挟み込み固定する孔部２１ｂを有してるので、ウォーターハンマー現象などで異常な高水圧が加わった時でも、水抜栓１７が外れ水漏れすることを防止することができる。【選択図】図２
2005171542.tif 000002
【特許請求の範囲】
【請求項１】
便器上に設けた本体と、人体の局部を洗浄する洗浄手段と、水道配管から分岐された給水管および本体内水路部と水密に接合し、前記本体内水路部や前記給水管の水を抜くための水抜栓を水密に挿入するための開口部からなるＴ字水路を有した給水部とを備え、前記水抜栓の頭部を、押え、固定するための水抜栓ロックと、開口部の外周の全周、もしくは、一部に凸部を突設し、前記水抜栓ロックには、前記水抜栓の頭部と前記凸部を挟み込み固定する孔部もしくは、凹部を有してなるトイレ装置。
【請求項２】
水抜栓ロックは、弾力性を有したコの字形状で、両端の折曲部に孔部もしくは、凹部を有するとともに、先端部は外側に向かって折れ曲った傾斜部を有してなる、請求項１に記載のトイレ装置。
【請求項３】
水抜栓ロックの両端は、ロックカバーによって固定されてなる、請求項１または２に記載のトイレ装置。
【請求項４】
水抜栓ロックの材料は、ステンレス材としてなる、請求項１〜３のいずれか１項に記載のトイレ装置。
【請求項５】
ロックカバーは、水抜栓ロックの端面すべてを覆ってなる請求項３に記載のトイレ装置。
【請求項６】
給水部の開口部の内周部に雌ねじ、対峙する水抜栓の外周部に雄ねじを形成し、前記水抜栓と前記給水部をねじ篏合させてなる、請求項１〜５のいずれか１項に記載のトイレ装置。
【発明の詳細な説明】
【技術分野】
【０００１】
本発明は、水抜栓を備えたトイレ装置に関するものである。
【背景技術】
【０００２】
従来、この種のトイレ装置は給水部の開口部の内周部に雌ねじ、対峙する水抜栓の外周部に雄ねじを形成し、水抜栓と給水部をねじ篏合している（例えば、特許文献１参照）。
【０００３】
図６は、前記公報に記載された従来のトイレ装置の給水部付近の斜視図を示すものである。図６において、給水部１の開口部２の内周部に雌ねじ２ａ、対峙する水抜栓３の外周部に雄ねじ３ａを形成し、水抜栓３と給水部１をねじ篏合する構成である。
【特許文献１】特開２００１−２００５７０号公報
【発明の開示】
【発明が解決しようとする課題】
【０００４】
しかしながら、前記従来の構成では、凍結防止など水抜作業のため、水抜栓３のねじを緩めて外し水を抜いた後、再度水抜栓３のねじを締める時、最後まで締められず、ねじの掛が少ないままで使用されると、水道元圧のウォーターハンマー現象などで異常な高水圧が加わった時に、水抜栓３が外れ水漏れするという課題を有していた。
【０００５】
本発明は、前記従来の課題を解決するもので、水抜栓が中途半端に給水部にセットされ、水道元圧のウォーターハンマー現象などで異常な高水圧が加わった時に、水抜栓が外れ水漏れることを防止するトイレ装置の提供を目的とする。
【課題を解決するための手段】
【０００６】
前記従来の課題を解決するために、本発明のトイレ装置は、水抜栓の頭部を、押え、固定するための水抜栓ロックと、給水部のＴ字水路の水抜栓を挿入する開口部の外周の全周、もしくは、一部に凸部を突設し、水抜栓ロックには、水抜栓の頭部と給水部の凸部を挟み込む孔部もしくは、凹部を有した構成としたものである。
【０００７】
これによって、水抜栓が中途半端に給水部にセットされることもなく、水抜栓ロックで水抜栓の頭部と給水部の凸部を挟み込むので、水道元圧のウォーターハンマー現象などで異常な高水圧が加わった時に、水抜栓が外れ水漏れすることを防止することになる。
【０００８】
また、本発明のトイレ装置は、水抜栓ロックを、弾力性を有したコの字形状にし、両端の折曲部に孔部もしくは、凹部を有するとともに、先端部は外側に向かって折れ曲った傾斜部を有した構成としたものである。
【０００９】
これによって、水抜栓ロックをセットする時は、傾斜部が誘いとなって押込むだけでセットでき、水抜栓ロックを解除する時は、傾斜部を広げることで解除できるので、着脱性を向上させることとなる。
【００１０】
また、本発明のトイレ装置は、水抜栓ロックの両端は、ロックカバーによって固定される構成としたものである。
【００１１】
これによって、ロックカバーを外さないと、水抜栓ロックを解除することができないので、水抜栓ロックに外力が加わっても、簡単には水抜栓ロックは解除されず、トイレ掃除などの時、水抜栓ロックに当たっても簡単に外れることを防止することになる。
【００１２】
また、水抜栓ロックの材料をステンレス材とする構成としたものである。
【００１３】
これによって、薄くて強度が強く、錆びにくくすることを防止することとなる。
【００１４】
また、ロックカバーは、水抜栓ロックの端面すべてを覆う構成としたものである。
【００１５】
これによって、水抜栓ロックの端面で怪我をすることがなくなる。
【００１６】
また、給水部の開口部の内周部に雌ねじ、対峙する水抜栓の外周部に雄ねじを形成し、水抜栓と給水部をねじ篏合させる構成としたものである。
【００１７】
これによって、水道元圧による水抜栓の抜けに対して、ねじ篏合と水抜栓ロックによる二重安全構成にすることとなる。
【発明の効果】
【００１８】
本発明のトイレ装置は、水抜栓が中途半端に給水部にセットされることもなく、水抜栓ロックで水抜栓の頭部と給水部の凸部を挟み込むので、水道元圧のウォーターハンマー現象などで異常な高水圧が加わった時に、水抜栓が外れ水漏れすることを防止することができる。
【発明を実施するための最良の形態】
【００１９】
第１の発明は、水抜栓の頭部を、押え、固定するための水抜栓ロックと、給水部のＴ字水路の水抜栓を挿入する開口部の外周の全周、もしくは、一部に凸部を突設し、水抜栓ロックには、水抜栓の頭部と給水部の凸部を挟み込み固定する孔部もしくは、凹部を有することにより、水抜栓が中途半端に給水部にセットされることもなく、水道元圧のウォーターハンマー現象などで異常な高水圧が加わった時でも、水抜栓が外れ水漏れすることを防止することができる。
【００２０】
第２の発明は、特に、第１の発明の水抜栓ロックを、弾力性を有したコの字形状にし、両端の折曲部に孔部もしくは、凹部を有するとともに、先端部は外側に向かって折れ曲った傾斜部を有した構成にすることによって、水抜栓ロックをセットする時は、傾斜部が誘いとなって押込むだけでセットでき、水抜栓ロックを解除する時は、傾斜部を持上げることで解除できるので、着脱性を向上させることができる。
【００２１】
第３の発明は、特に、第１または２に発明の水抜栓ロックの両端を、ロックカバーによって固定することによって、ロックカバーを外さないと、水抜栓ロックを解除することができないので、水抜栓ロックに外力が加わっても、簡単には水抜栓ロックは解除されず、トイレ掃除などの時、水抜栓ロックに当たっても簡単に外れることを防止できる。
【００２２】
第４の発明は、第１〜３のいずれか発明の水抜栓ロックの材料をステンレス材とすることによって、薄くて強度が強く、錆びにくくすることができる。
【００２３】
第５の発明は、第３の発明のロックカバーを、水抜栓ロックの端面すべてを覆う構成とすることによって、水抜栓ロックの端面で怪我をすることを防止できる。
【００２４】
第６の発明は、第１〜５のいずれか発明の給水部の開口部の内周部に雌ねじ、対峙する水抜栓の外周部に雄ねじを形成し、水抜栓と給水部をねじ篏合させることによって、水道元圧による水抜栓の抜けに対して、ねじ篏合と水抜栓ロックによる二重安全構成とすることができる。
【００２５】
以下、本発明の実施の形態について、図面を参照しながら説明する。なお、この実施の形態によって本発明が限定されるものではない。
【００２６】
（実施の形態１）
図１は、本発明の第１実施の形態におけるトイレ装置を便器にセットした状態の斜視図を示すものであり、図２は同トイレ装置の水抜栓付近の斜視図を示すものであり、図３は同トイレ装置の水抜栓付近を図２のＡ−Ａ線で断面して示す断面図であり、図４は同トイレ装置の水抜栓付近を図２のＢ−Ｂ線で断面して示す断面図である。
【００２７】
図１〜４において、トイレ装置の本体１１は、便器１２の後部上面に横長に設けられ、本体１１は、用便後などに人体の局部を温水で洗う洗浄手段１３と、水道配管１４から分岐された給水管１５および本体内水路部１６と水密に接合し、本体内水路部１６や給水管１５の水を抜くための水抜栓１７を水密に挿入するための開口部１８からなるＴ字水路１９を有した給水部２０と、水抜栓１７を給水部２０に押え、固定するためのステンレス材をプレス加工してなる水抜栓ロック２１とを備えている。また、水抜栓ロック２１は、弾力性を有したコの字形状で両端の折曲部２１ａと、先端部は外側に向かって折れ曲った傾斜部２１ｃを有し、給水部２０の開口部１８の外周部には、全周に凸部２２を突設し、水抜栓ロック２１の折曲部２１ａには、水抜栓１７の頭部１７ａと給水部２０の凸部２２を挟み込み固定する孔部２１ｂを有している。そして、水抜栓ロック２１の両端は、ロックカバー２３によって固定されている。さらに、給水部２０の開口部１８の内周部に雌ねじ１８ａ、対峙する水抜栓１７の外周部に雄ねじ１７ｂを有している。
【００２８】
以上のように構成されたトイレ装置について、以下その動作、作用を説明する。
【００２９】
まず、水道配管１４からの水道元圧は給水管１５を通じて、本体１１の給水部２０に加わり、水抜栓１７を開口部１８から抜く力となる。この力は水抜栓ロック２１で水抜栓１７の頭部１７ａと給水部２０の凸部２２を挟み込むことによって保持されるので、水道元圧のウォーターハンマー現象などで異常な高水圧が加わった時でも、水抜栓１７が外れ水漏れすることを防止することができる。
【００３０】
また、水抜栓ロック２１をセットする時は、傾斜部２１ｃが誘いとなって押込むだけでセットでき、水抜栓ロック２１を解除する時は、傾斜部２１ｃを広げることで解除できるので、着脱性を向上させることができる。
【００３１】
また、水抜栓ロック２１を解除する時に、ロックカバー２３を外さないと、水抜栓ロック２１を解除することができないので、水抜栓ロック２１に外力が加わっても、簡単には水抜栓ロック２１は解除されず、トイレ掃除などの時、水抜栓ロック２１に当たっても簡単に外れることがなく安全である。
【００３２】
また、水抜栓ロック２１の材料をステンレス材とすることによって、薄くて強度が強く、錆びにくくできる。
【００３３】
また、水抜栓１７と給水部２０をねじ篏合させることによって、水道元圧による水抜栓１７の抜けに対して、ねじ篏合と水抜栓ロック２１による二重安全構成とすることができる。
【００３４】
（実施の形態２）
図５は、本発明の第２実施の形態におけるトイレ装置の水抜栓付近の斜視図を示すものである。
【００３５】
図５において、ロックカバー２３は、水抜栓ロック２１の端面すべてを覆う構成となっている。
【００３６】
以上のように構成されたトイレ装置について、以下その動作、作用を説明する。
【００３７】
水抜栓ロック２１の端面は、ロックカバー２３によってすべて覆われているので、端面エッジで怪我をすることがなく安全性を向上できる。
【産業上の利用可能性】
【００３８】
以上のように、本発明にかかるトイレ装置は、水道元圧のウォーターハンマー現象などで異常な高水圧が加わった時でも、水抜栓が外れ水漏れすることを防止することができるので、温水器など、他の水機器の水抜栓の固定などの用途にも適用できる。
【図面の簡単な説明】
【００３９】
【図１】本発明の実施の形態１におけるトイレ装置を便器にセットした状態の斜視図
【図２】同トイレ装置の水抜栓付近の斜視図
【図３】同トイレ装置の水抜栓付近を図２のＡ−Ａ線で断面して示す断面図
【図４】同トイレ装置の水抜栓付近を図２のＢ−Ｂ線で断面して示す断面図
【図５】本発明の実施の形態２におけるトイレ装置の水抜栓付近の斜視図
【図６】従来のトイレ装置を便器にセットした状態の斜視図
【符号の説明】
【００４０】
１１  本体
１２  便器
１３  洗浄手段
１４  水道配管
１５  給水管
１６  本体内水路部
１７  水抜栓
１７ａ  頭部
１７ｂ  雄ねじ
１８  開口部
１８ａ  雌ねじ
１９  Ｔ字水路
２０  給水部
２１  水抜栓ロック
２１ａ  折曲部
２１ｂ  孔部
２１ｃ  傾斜部
２２  凸部
２３  ロックカバー
【図１】
2005171542.tif 000003
【図２】
2005171542.tif 000004
【図３】
2005171542.tif 000005
【図４】
2005171542.tif 000006
【図５】
2005171542.tif 000007
【図６】
2005171542.tif 000008